(57)【要約】【課題】ＨＳＰ増加を促進するべく、体温を維持するように案内することができる体温維持案内装置、体温維持案内方法および体温維持案内プログラムを提供する。【解決手段】体温維持案内装置１は、体温取得部２１、温度判定部２２および報知処理部２３を備える。体温取得部２１は人体の体温を取得する。温度判定部２２は、体温取得部２１により取得した体温が第１温度以上であるか否かを判定する。報知処理部２３は、温度判定部２２により体温が第１温度以上であると判定した場合に、第１温度より低い第２温度以上に体温を維持するよう案内する情報を報知する。【選択図】図２
2019037348.tif 000002
【特許請求の範囲】
【請求項１】
人体の体温を取得する体温取得部と、
前記体温取得部により取得した体温が第１温度以上であるか否かを判定する温度判定部と、
前記温度判定部により体温が第１温度以上であると判定した場合に、第１温度より低い第２温度以上に体温を維持するよう案内する情報を報知する報知処理部と、
を備えることを特徴とする体温維持案内装置。
【請求項２】
計時部を備え、
前記報知処理部は、前記計時部により計測した時間が所定時間を経過するまで報知することを特徴とする請求項１に記載の体温維持案内装置。
【請求項３】
前記所定時間を変更する設定変更部を備えることを特徴とする請求項２に記載の体温維持案内装置。
【請求項４】
体温の時間変化率を算出し、算出した体温の時間変化率に基づいて前記所定時間内で第２温度以上に体温が維持されるか否かを判定する温度維持判定部を備え、
前記報知処理部は、前記温度維持判定部が否と判定した場合に、体温を維持できないことを警告する情報を報知することを特徴とする請求項２または３に記載の体温維持案内装置。
【請求項５】
前記報知処理部は、体温が第１温度未満となり、再び前記温度判定部が第１温度以上であると判定した場合に、体温が上がっていることを警告する情報を報知することを特徴とする請求項１から４のいずれか１項に記載の体温維持案内装置。
【請求項６】
前記温度判定部は、体温が第２温度以上であるか否かを判定し、
前記報知処理部は、前記温度判定部により第２温度以上ではないと判定した場合に、体温が下がっていることを警告する情報を報知することを特徴とする請求項１から５のいずれか１項に記載の体温維持案内装置。
【請求項７】
前記温度判定部により体温が第１温度以上であると判定した場合に、外部装置へ動作停止を指示する停止指示部を備えることを特徴とする請求項１から６のいずれか１項に記載の体温維持案内装置。
【請求項８】
人体の体温を取得する体温取得ステップと、
前記体温取得ステップにより取得した体温が第１温度以上であるか否かを判定する温度判定ステップと、
前記温度判定ステップにより体温が第１温度以上であると判定した場合に、第１温度より低い第２温度以上に体温を維持するよう案内する情報を報知する報知処理ステップと、
を備えることを特徴とする体温維持案内方法。
【請求項９】
人体の体温を取得する体温取得ステップと、
前記体温取得ステップにより取得した体温が第１温度以上であるか否かを判定する温度判定ステップと、
前記温度判定ステップにより体温が第１温度以上であると判定した場合に、第１温度より低い第２温度以上に体温を維持するよう案内する情報を報知する報知処理ステップと、
をコンピュータに実行させることを特徴とする体温維持案内プログラム。
【発明の詳細な説明】
【技術分野】
【０００１】
本発明は、体温維持案内装置、体温維持案内方法および体温維持案内プログラムに関する。
【背景技術】
【０００２】
例えば浴室システムでは、より快適な入浴ができるように浴室環境を制御することや、ジェット噴流装置および肩掛け吐水装置などを備えることで入浴者の健康維持に貢献するための工夫がなされている。
【０００３】
例えば特許文献１には、浴槽内に給湯するための給湯装置と、浴槽内に入っている入浴者の心拍波形を検出する検出装置と、検出された心拍波形の変化に基づいて、入浴者の体温が上昇したか否かを判定する制御部を備える浴室システムが開示されている。この浴室システムは、制御部により入浴者の体温上昇を判定し、入浴者の身体が温まった場合に出浴を促す。
【先行技術文献】
【特許文献】
【０００４】
【特許文献１】特開２００５−０５８２９９号公報
【発明の概要】
【発明が解決しようとする課題】
【０００５】
ところで、入浴によって健康の維持を図るＨＳＰ（ヒートショックプロテイン）入浴法が知られている。この入浴法によれば、通常の体温より高めの体温となるように入浴し、入浴後も身体を保温することで、ＨＳＰ増加を促進して健康を維持することが期待される。特許文献１に記載の浴室システムは、体温上昇を判定して入浴者へ出浴を促すことで、入浴による身体への負担は軽減されるが、入浴後における身体の保温を促すものではなく、ＨＳＰ入浴法に基づく健康維持用途に適するものではなかった。
【０００６】
本発明は、斯かる事情に鑑みてなされたものであり、その目的とするところは、ＨＳＰ増加を促進するべく、体温を維持するように案内することができる体温維持案内装置、体温維持案内方法および体温維持案内プログラムを提供することにある。
【課題を解決するための手段】
【０００７】
本発明に係る体温維持案内装置は、人体の体温を取得する体温取得部と、前記体温取得部により取得した体温が第１温度以上であるか否かを判定する温度判定部と、前記温度判定部により体温が第１温度以上であると判定した場合に、第１温度より低い第２温度以上に体温を維持するよう案内する情報を報知する報知処理部と、を備えることを特徴とする。
【０００８】
また本発明の別の態様は体温維持案内方法である。この体温維持案内方法は、人体の体温を取得する体温取得ステップと、前記体温取得ステップにより取得した体温が第１温度以上であるか否かを判定する温度判定ステップと、前記温度判定ステップにより体温が第１温度以上であると判定した場合に、第１温度より低い第２温度以上に体温を維持するよう案内する情報を報知する報知処理ステップと、を備えることを特徴とする。
【発明の効果】
【０００９】
本発明によれば、ＨＳＰ増加を促進するべく、体温を維持するように案内することができる。
【図面の簡単な説明】
【００１０】
【図１】実施形態に係る体温維持案内装置の使用形態を表す模式図である。
【図２】体温維持案内装置の構成を示すブロック図である。
【図３】ＨＳＰ増加を促進するための第１および第２温度等の設定の例を示す図表である。
【図４】体温維持案内処理の手順を示すフローチャートである。
【図５】体温維持案内処理の手順を示すフローチャートである。
【図６】変形例に係る体温維持案内装置の構成を示すブロック図である。
【発明を実施するための形態】
【００１１】
以下、本発明を好適な実施の形態をもとに図１から図６を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態）
図１は実施形態に係る体温維持案内装置１の使用形態を表す模式図である。体温維持案内装置１は、例えば浴室８で入浴するユーザによって使用され、ユーザの体温を測定する体温測定器３からの体温を取得して、体温が加温によって第１温度以上へ上昇されるか否かを判定して報知する。体温維持案内装置１は、入浴後、例えば居間９においてユーザが身体を保温し、体温を第１温度よりも低い第２温度以上となるよう維持する際にも使用し、ＨＳＰ増加を促進するべく体温を維持するように案内する。尚、体温維持案内装置１は、可搬型の装置であっても、浴室８および居間９に備え付けられる装置であってもよい。また体温維持案内装置１は、入浴の際に使用される以外にも、例えば、サウナ装置や、赤外線照射装置、室内暖房等によって体温を加温し、保温するような方法を用いる際にも使用される。
【００１３】
ＨＳＰ増加を促進する入浴法は、例えば公開講演「体を温めると増えるヒートショックプロテイン(HSP)があなたの健康を守る！」、伊藤要子、山田芳彰、本田靖明、日本温泉科学会会誌「温泉科学」第60巻、P.380−P.388(2010年)等に記載されている。同公開講演によれば、ＨＳＰを増加する入浴法として、湯の温度４０℃で２０分間、４１℃で１５分間、または４２℃で１０分間、浴槽に浸かり、体温を目安として３８℃以上に加温する。入浴後は１０分〜１５分保温して、体を芯から温める。この方法によって、ＨＳＰ７０（分子量70,000のＨＳＰ）が増加し、ストレス防御作用、免疫増強作用等の生理作用を利用して健康維持に役立てることができるとされている。
【００１４】
図２は体温維持案内装置１の構成を示すブロック図である。体温維持案内装置１は、インタフェース部（以下、Ｉ／Ｆ部と表記する。）１１、表示部１２、音声出力部１３、入力部１４、計時部１５、記憶部１６および制御部２０を備える。
【００１５】
Ｉ／Ｆ部１１は、接続される体温測定器３からアナログまたはデジタルの信号入力を受け取り、制御部２０へ入力する。体温測定器３は有線により接続されるほか、例えば赤外線通信、Ｂｌｕｅｔｏｏｔｈ（登録商標）、ＷｉＦｉ（登録商標）等の通信規格に準拠して無線によって通信接続されていてもよい。体温測定器３は、ユーザの身体に装着される、口腔式および耳式などの体温を計測する種々の体温計を用いることができる。また体温測定器３は、赤外線検出器を備えるサーモグラフィーであってもよい。
【００１６】
表示部１２は、液晶ディスプレイ、有機ＥＬ（Electro Luminescence）ディスプレイ、ＬＥＤ（Light Emitting Diode）ディスプレイ等で構成されている。表示部１２は、制御部２０からの指示によって、体温を維持するよう案内または警告するメッセージ情報、並びに経過時間、残り時間およびユーザの体温等の情報を表示する。
【００１７】
音声出力部１３は、制御部２０から入力されるデジタル音声信号をアナログ音声信号に変換および増幅してスピーカ（図示略）から音声出力する。音声出力部１３は、制御部２０からの指示によって、体温を維持するよう案内または警告するメッセージ情報、並びに経過時間、残り時間およびユーザの体温等の情報を音声出力する。
【００１８】
入力部１４は、操作キー、十字キー、タッチパネル等のスイッチで構成されており、ユーザによる操作入力を受け付ける。入力部１４は、例えば表示部１２が液晶等のディスプレイである場合に、該ディスプレイに組み込まれたタッチパネルであってもよい。
【００１９】
計時部１５は、制御部２０からの指示に基づいて時間を計測する。記憶部１６は、ＲＡＭ（Random Access Memory）、フラッシュメモリ、ハードディスク記憶装置等のデータ記憶装置によって構成されており、制御部２０で実行するコンピュータプログラム、およびコンピュータプログラムの実行中に使用する各種のデータ等を記憶する。
【００２０】
制御部２０は、体温取得部２１、温度判定部２２、報知処理部２３、設定変更部２４、温度維持判定部２５、停止指示部２６を有する。制御部２０は、例えばＣＰＵなどによって構成され、コンピュータプログラムに従って動作することによって、上述の各部による処理を実行する。制御部２０において体温取得部２１は、体温測定器３が計測したユーザの体温を、Ｉ／Ｆ部１１を介して取得する。
【００２１】
温度判定部２２は、体温取得部２１において取得したユーザの体温が第１温度以上であるか否かを判定する。また、温度判定部２２は、体温取得部２１において取得したユーザの体温が第２温度以上であるか否かを判定する。図３は、ＨＳＰ増加を促進するための第１および第２温度等の設定の例を示す図表である。第１温度は、ユーザの通常の体温よりも高く、例えば３８℃とし、ユーザは体温が３８℃以上となるように入浴する。具体的方法としては、湯の温度４０℃で２０分間、４１℃で１５分間、または４２℃で１０分間に浴槽に浸かり、体温が第１温度である３８℃以上に加温する。
【００２２】
第２温度は、第１温度よりも低く、かつユーザの通常体温よりも高く、例えば３７℃とし、ユーザは体温が３７℃以上で所定時間、保温されるようにする。所定時間は１０分〜１５分程度（例えば１０分）に設定するが、数十分としても良い。ユーザが身体を保温する具体的方法としては、出浴後に衣服を着用して保温する方法や、浴室８において半身浴または足湯をして保温する方法などがある。
【００２３】
報知処理部２３は、温度判定部２２および後述する温度維持判定部２５による判定結果に応じて、体温を維持するよう案内および警告する情報を選択し、表示部１２および音声出力部１３を通じてユーザへ報知する。報知処理部２３は、例えば、体温が第１温度以上になったこと、第１温度未満となったこと、および第２温度未満になっていること等を報知する。報知処理部２３は、報知によって、ＨＳＰ増加を促進するべく体温を維持するよう案内する。
【００２４】
設定変更部２４は、ユーザが入力する設定情報に合わせて、第１温度、第２温度、および第２温度以上を維持する所定時間を変更する。ユーザによる設定情報は、入力部１４において入力される。例えば、第１温度を３８℃よりも低い温度または高い温度に、第２温度を３７℃よりも低い温度または高い温度に設定変更することができる。また、第２温度以上を維持する所定時間を例えば１０分〜１５分の間で設定変更することができる。
【００２５】
温度維持判定部２５、体温の時間変化率を算出し、算出した体温の時間変化率に基づいて、第２温度以上を維持する所定時間（例えば１０分）の残り時間内において第２温度以上に体温が維持されるか否かを判定する。体温の時間変化率は、例えば体温の時々刻々の変化率、または変化率の平均などで定義すればよい。
【００２６】
停止指示部２６は、体温が第１温度以上となったことを受けて、給湯装置およびジェット噴流装置等の外部装置へ動作の停止を指示する。尚、体温維持案内装置１は、有線または無線により外部装置に接続されており、停止指示部２６により動作停止信号を外部装置へ出力し、該動作停止信号に基づいて外部装置の動作が停止するように制御される。
【００２７】
次に、体温維持案内装置１の動作を説明する。図４および図５は、体温維持案内処理の手順を示すフローチャートである。ユーザが浴槽に溜めた湯に浸かって入浴を始める際に、体温維持案内装置１の電源をオン状態にすると、制御部２０の体温取得部２１は、計測されるユーザの体温の取得を開始する（Ｓ１）。温度が４０℃から４２℃の湯に浸かることによってユーザの体温が上昇する。また、ユーザが給湯装置およびジェット噴流装置等の外部装置を動作させることによっても、入浴中のユーザの身体が温められる。制御部２０の温度判定部２２は、体温が第１温度（例えば３８℃）以上であるか否かを判定し（Ｓ２）、否と判定した場合（Ｓ２：ＮＯ）、ステップＳ２による判定を繰り返す。
【００２８】
ステップＳ２において体温が第１温度以上であると判定された場合（Ｓ２：ＹＥＳ）、報知処理部２３は、体温が第１温度以上となったことを案内する情報を報知する（Ｓ３）。報知処理部２３は、ステップＳ３において、例えば「第１温度以上になりました」とのメッセージを表示部１２に表示し、該メッセージを音声出力部１３から音声出力する。
【００２９】
体温が第１温度以上となったことを受けて、停止指示部２６は、過度に体温が上昇することを回避するために、給湯装置およびジェット噴流装置等の外部装置へ動作の停止を指示する（Ｓ４）。尚、ステップＳ４による外部装置へ停止を指示する処理は設けなくてもよく、ステップＳ３によるメッセージを受けて、ユーザが自ら外部装置の動作を停止してもよい。
【００３０】
ユーザが図３に示す具体的方法、例えば温度４０℃の湯に２０分間浸かった後、出浴、若しくは、半身浴および足湯をすることにより体温が下がり始める。温度判定部２２は、体温が第１温度以上であるか否かを判定し（Ｓ５）、第１温度以上であると判定した場合（Ｓ５：ＹＥＳ）、ステップＳ５による判定を繰り返す。ステップＳ５において体温が第１温度未満であると判定された場合（Ｓ５：ＮＯ）、計時部１５により計時を開始し（Ｓ６）、報知処理部２３により、体温が第１温度未満となったことを案内する情報を報知する（Ｓ７）。
【００３１】
報知処理部２３は、ステップＳ７において、例えば「第１温度未満になりました」とのメッセージを表示部１２に表示し、該メッセージを音声出力部１３から音声出力する。さらに報知処理部２３は、ステップＳ７において、例えば「第２温度以上となるよう身体を保温してください」とのメッセージを表示部１２に表示し、該メッセージを音声出力部１３から音声出力することで、第２温度以上に体温を維持するよう案内する。
【００３２】
温度判定部２２は、体温が第２温度（例えば３７℃）以上であるか否かを判定する（Ｓ８）。ステップＳ８において否と判定された場合（Ｓ８：ＮＯ）、報知処理部２３は、体温が第２温度未満に下がっていることを警告する情報を報知する（Ｓ９）。報知処理部２３は、ステップＳ９において、例えば「体温が第２温度未満になり、保温が十分ではありません」とのメッセージを表示部１２に表示し、該メッセージを音声出力部１３から音声出力する。
【００３３】
ステップＳ８において第２温度以上であると判定された場合（Ｓ８：ＹＥＳ）、温度維持判定部２５は、体温の時間変化率を算出し（Ｓ１０）、体温の時間変化率に基づいて所定時間（例えば１０分）の残り時間内において第２温度以上に体温が維持されるか否かを判定する（Ｓ１１）。ステップＳ１１において体温が維持されないと判定した場合（Ｓ１１：ＮＯ）、報知処理部２３により、体温低下が速いため温度を維持できないことを警告する情報を報知する（Ｓ１２）。報知処理部２３は、ステップＳ１２において、例えば「このままでは体温が維持できません」とのメッセージを表示部１２に表示し、該メッセージを音声出力部１３から音声出力する。
【００３４】
ステップＳ１１において体温が維持されると判定された場合（Ｓ１１：ＹＥＳ）、温度判定部２２により、体温が第１温度以上であるか否かを判定し（Ｓ１３）、ユーザが身体を保温しすぎて体温が上昇していないかを確認する。ステップＳ１３において第１温度以上であると判定された場合（Ｓ１３：ＹＥＳ）、報知処理部２３は、体温が第１温度以上に上がっていることを警告する情報を報知する（Ｓ１４）。報知処理部２３は、ステップＳ１４において、例えば「第１温度以上になり、保温しすぎています」とのメッセージを表示部１２に表示し、該メッセージを音声出力部１３から音声出力する。
【００３５】
ステップＳ１３において第１温度未満であると判定された場合（Ｓ１３：ＮＯ）、報知処理部２３は、身体が適切に保温されていることを案内する情報を報知する（Ｓ１５）。報知処理部２３は、ステップＳ１５において、例えば「身体が適切に保温されています」とのメッセージを表示部１２に表示し、該メッセージを音声出力部１３から音声出力する。
【００３６】
ステップＳ９，Ｓ１２，Ｓ１４およびＳ１５の後、ステップＳ１６に移行し、制御部２０は所定時間（例えば１０分）を経過したか否かを判定し（Ｓ１６）、所定時間が経過していないと判定された場合（Ｓ１６：ＮＯ）、ステップＳ８に移行して処理を繰り返す。ステップＳ１６において所定時間が経過したと判定された場合（Ｓ１６：ＹＥＳ）、報知処理部２３により体温維持の終了を案内する情報を報知し（Ｓ１７）、処理を終了する。報知処理部２３は、ステップＳ１７において、例えば「体温維持を終了します」とのメッセージを表示部１２に表示し、該メッセージを音声出力部１３から音声出力する。
【００３７】
つぎに設定変更部２４による設定変更処理について説明する。設定変更部２４は、ユーザが入力する設定情報を入力部１４から取得する。設定変更部２４は、第１温度、第２温度、および第２温度以上を維持する所定時間等を変更する。例えば、設定変更部２４は、ユーザの身体的な個人差や、嗜好に応じて第１温度を３８℃よりも低い温度または高い温度に、第２温度を３７℃よりも低い温度または高い温度に設定変更する。また設定変更部２４は、ユーザの身体的な個人差や、嗜好に応じて、第２温度以上を維持する所定時間を例えば１０分〜１５分の間で設定変更することができ、利便性が向上する。
【００３８】
上述の体温維持案内処理において、ステップＳ３における報知により、体温維持案内装置１は、体温が第１温度以上となり、ＨＳＰ増加を促進するための入浴法に準拠した入浴が開始したことをユーザに知得させることができる。また、ステップＳ４における報知により、体温維持案内装置１は、体温が第１温度未満になり、身体を保温して第２温度を維持する状態に移行したことをユーザに知得させることができる。
【００３９】
また、ステップＳ９における報知により、体温維持案内装置１は、体温が第２温度未満に下がっていることをユーザに知得させることができる。ユーザは、保温性が高まるように衣服を重ねて着用したり、室内温度を高くするなどして、体温の低下に対処することができる。
【００４０】
また、ステップＳ１２における報知により、体温維持案内装置１は、体温の時間変化率が大きく、体温の低下によって第２温度が維持できなくなることをユーザに知得させることができる。これにより、ユーザは、保温性が高まるように衣服を重ねて着用したり、室内温度を高めるなどして、体温の低下に対処することができる。
【００４１】
また、ステップＳ１４における報知により、体温維持案内装置１は、体温が第１温度以上に上がっていることをユーザに知得させることができる。これにより、ユーザは、保温性が低くなるように衣服を脱いだり、室内温度を低くするなどして、体温の上昇に対処することができる。
【００４２】
また、ステップＳ１５における報知により、体温維持案内装置１は、身体が適切に保温されていることをユーザに知得させることができる。これにより、ユーザは、現在の身体の保温状態を維持すればよいことが判る。また、ステップＳ１７における報知により、体温維持案内装置１は、体温維持の一連の処理が終了したことをユーザに知得させることができる。
【００４３】
また、体温維持案内装置１は、報知処理部２３がユーザの体温、経過時間および残り時間等の情報を間欠的に報知するようにしてもよい。ユーザは、ユーザの体温、経過時間および残り時間等の情報を間欠的に知得することができ利便性が向上する。
【００４４】
次に実施形態に係る体温維持案内装置、体温維持案内方法および体温維持案内プログラムの特徴について説明する。
実施形態に係る体温維持案内装置１は、体温取得部２１、温度判定部２２および報知処理部２３を備える。体温取得部２１は人体の体温を取得する。温度判定部２２は、体温取得部２１により取得した体温が第１温度以上であるか否かを判定する。報知処理部２３は、温度判定部２２により体温が第１温度以上であると判定した場合に、第１温度より低い第２温度以上に体温を維持するよう案内する情報を報知する。これにより、体温維持案内装置１は、ＨＳＰ増加を促進するべく、体温を維持するように案内することができる。
【００４５】
また、体温維持案内装置１は計時部１５を備える。報知処理部２３は、計時部１５により計測した時間が所定時間を経過するまで報知する。これにより、体温維持案内装置１は、体温を第２温度以上に維持する所定時間内において、体温を維持するように案内することができる。
【００４６】
また、体温維持案内装置１は、所定時間を変更する設定変更部２４を備える。これにより、体温維持案内装置１は、ユーザの身体的な個人差や、嗜好に応じて、第２温度以上を維持する所定時間を設定変更することができ、利便性が向上する。
【００４７】
また、体温維持案内装置１は、体温の時間変化率を算出し、算出した体温の時間変化率に基づいて所定時間内で第２温度以上に体温が維持されるか否かを判定する温度維持判定部２５を備える。報知処理部２３は、温度維持判定部２５が否と判定した場合に、体温を維持できないことを警告する情報を報知する。これにより、体温維持案内装置１は、体温の時間変化率が大きく、体温の低下によって第２温度が維持できなくなることをユーザに知得させることができる。
【００４８】
また、報知処理部２３は、体温が第１温度未満となり、再び温度判定部２２が第１温度以上であると判定した場合に、体温が上がっていることを警告する情報を報知する。これにより、体温維持案内装置１は、体温が第１温度以上に上がっていることをユーザに知得させることができる。
【００４９】
また、温度判定部２２は、体温が第２温度以上であるか否かを判定する。報知処理部２３は、温度判定部２２により第２温度以上ではないと判定した場合に、体温が下がっていることを警告する情報を報知する。これにより、体温維持案内装置１は、体温が第２温度未満に下がっていることをユーザに知得させることができる。
【００５０】
また、体温維持案内装置１は、温度判定部２２により体温が第１温度以上であると判定した場合に、外部装置へ動作停止を指示する停止指示部２６を備える。これにより、体温維持案内装置１は、過度にユーザの体温が上昇することを回避させることができる。
【００５１】
実施形態に係る体温維持案内方法は、人体の体温を取得する体温取得ステップと、体温取得ステップにより取得した体温が第１温度以上であるか否かを判定する温度判定ステップと、温度判定ステップにより体温が第１温度以上であると判定した場合に、第１温度より低い第２温度以上に体温を維持するよう案内する情報を報知する報知処理ステップと、を備える。この体温維持案内方法によって、ＨＳＰ増加を促進するべく、体温を維持するように案内することができる。
【００５２】
実施形態に係る体温維持案内プログラムは、人体の体温を取得する体温取得ステップと、体温取得ステップにより取得した体温が第１温度以上であるか否かを判定する温度判定ステップと、温度判定ステップにより体温が第１温度以上であると判定した場合に、第１温度より低い第２温度以上に体温を維持するよう案内する情報を報知する報知処理ステップと、をコンピュータに実行させる。この体温維持案内プログラムによって、ＨＳＰ増加を促進するべく、体温を維持するように案内することができる。
【００５３】
（変形例）
図６は、変形例に係る体温維持案内装置１の構成を示すブロック図である。浴室８は、付帯設備として給湯装置４１、ジェット噴流装置４２、制御装置５等を有する。制御装置５は、給湯装置４１およびジェット噴流装置４２等をオンまたはオフし、動作設定情報等を与えて制御する。制御装置５は、給湯装置４１およびジェット噴流装置４２等の動作状態を表示する表示部５２、メッセージを音声で出力する音声出力部５３、および動作設定情報を入力するための入力部５４を有する。
【００５４】
体温維持案内装置１は、制御装置５に組込まれており、内部構成は図２に示した構成に準じるが、表示部１２、音声出力部１３および入力部１４を、制御装置５の表示部５２、音声出力部５３および入力部５４で代用してもよい。居間９には、遠隔装置６が配設されており、浴室８に配設された体温維持案内装置１と接続されている。体温維持案内装置１の表示部１２、音声出力部１３および入力部１４は、遠隔装置６が備える表示部６２、音声出力部６３および入力部６４によって代用される。
【００５５】
ユーザが装着する体温測定器３は、体温維持案内装置１に有線または無線によって接続されるが、浴室８から居間９まで距離があることを考慮すると無線によって通信接続されていることが好ましい。変形例に係る体温維持案内装置１は、ユーザが体温測定器３を装着するだけで、体温維持案内装置１を持って移動する必要がないので、利便性が向上する。
【００５６】
上述の実施形態において、体温維持案内装置１は、表示部１２および音声出力部１３によって体温を維持するよう案内する情報を報知する構成を示したが、表示部１２および音声出力部１３のいずれか一方を備えて報知する構成としてもよい。また、設定変更部２４は、ユーザが入力する設定情報に合わせて設定変更するだけでなく、体温上昇の変化率の個人差や、体温上昇に寄与する機器を併用した場合の効果等をデータとして蓄積し、蓄積したデータから学習し、ＡＩ（人工知能）等の技術を用いて自動的に設定変更するようにしてもよい。
【００５７】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５８】
１  体温維持案内装置、  １５  計時部、  ２１  体温取得部、
２２  温度判定部、  ２３  報知処理部、  ２４  設定変更部、
２５  温度維持判定部、  ２６  停止指示部。
【図１】
2019037348.tif 000003
【図２】
2019037348.tif 000004
【図３】
2019037348.tif 000005
【図４】
2019037348.tif 000006
【図５】
2019037348.tif 000007
【図６】
2019037348.tif 000008